(57)【要約】【課題】正確な情報を表示することが可能なカバーを提供すること。【解決手段】電子機器１００に装着する部材を覆うカバー１であって、カバー１は、メモリーカード１８０の装着状態に関する情報を表示する第１表示板２及び第２表示板４とを備え、メモリーカード１８０の電子機器１００への装着時に、メモリーカード１８０を覆うように配置した状態と、メモリーカード１８０の電子機器１００への未装着時に、電子機器１００に収納された状態とで、電子機器１００側に設けられた棒状部材１７１と協働して表示を第１表示板２と第２表示板４との間で切り替える、カバーである。【選択図】図４
2009139595.tif 000002
【特許請求の範囲】
【請求項１】
電子機器に装着する部材を覆うカバーであって、
前記カバーは、
前記部材の装着状態に関する情報を表示する表示部と、
前記部材の前記電子機器への装着時に、前記部材を覆うように配置した状態と、前記部材の前記電子機器への未装着時に、前記電子機器に収納された状態とで、前記電子機器側に設けられた補助部材と協働して前記表示部の表示を切り替える切り替え手段とを備えた、カバー。
【請求項２】
前記表示部は、
外側に設けられた第１表示部と、
前記第１表示部の内側に設けられた第２表示部とを有し、
前記部材を覆うように配置した状態、及び前記電子機器に収納された状態のいずれか一方の状態では、前記第１表示部による表示が行われ、
他方の状態では、前記補助部材によって前記第１表示部が移動され、前記第２表示部が視認可能となる、請求項１記載のカバー。
【請求項３】
前記切り替え手段は、
前記第１表示部の周縁に設けられた軸と、
前記軸を回転可能に支持する軸受け部と、
前記第２表示部に形成された貫通孔とを有し、
前記補助部材は棒状部材であり、
前記他方の状態では、前記貫通孔を通った前記棒状部材の、前記第１表示部の表示面の裏面への当接により前記第１表示部が前記軸を中心に回動され、前記第２表示部が視認可能となる、請求項２記載のカバー。
【請求項４】
前記部材は、メモリーカードであり、
前記部材を覆うように配置した状態とは、前記電子機器に前記メモリーカードを装着した時に前記電子機器の外壁から突出した、前記メモリーカードの部分と嵌合した状態である、請求項１〜３のいずれかに記載のカバー。
【請求項５】
請求項１〜４のいずれかに記載のカバーと、
前記カバーを収納する収納部と、
前記補助部材とを備えた、電子機器。
【発明の詳細な説明】
【技術分野】
【０００１】
本発明は、カバー及び電子機器に関する。
【背景技術】
【０００２】
複写機、プリンタ等の画像形成装置は、読み取った画像データに基づいた画像形成や、コンピュータから送信された画像データの印刷、送信等を行うことが出来る。
【０００３】
このような画像形成装置において、例えば、パソコンを経由しないで印刷することを目的としてデジタルカメラで撮影した画像データを格納したり、頻繁に印刷される画像データを格納するためのメモリーカードを装着することが可能な構成の装置が開示されている（例えば、特許文献１参照。）。
【０００４】
画像形成装置の側面に、メモリーカードを挿入するための挿入スロットが設けられており、その挿入スロットにメモリーカードが差し込まれる。この状態が図１４（ａ）に示されている。図１４（ａ）に示すように、画像形成装置の側面に設けられている挿入スロット２００にメモリーカード３００を差し込むと、装置内のレイアウト等によってメモリーカード３００の後端が装置外に飛び出した状態となる場合がある。
【０００５】
そこで、この飛び出した部分にカバー４００が装着され、埃、静電気、接触などからメモリーカード３００が保護される（図１４（ｂ）参照）。
【０００６】
しかしながら、図のようにメモリーカード３００の飛び出した部分にカバー４００を装着するため、メモリーカード３００が挿入されていない状態では、カバー４００を取り付けることが出来ない。そのため、画像形成装置には、メモリーカード３００を使用しない時のために、図１５に示すように、カバー４００を収納するための収納部５００が形成されている。このように収納部を設けることにより、カバー４００の紛失を防ぐことが出来る。
【特許文献１】特開２００２−３４２７１７号公報
【発明の開示】
【発明が解決しようとする課題】
【０００７】
しかしながら、従来の画像形成装置では、上記カバー４００に何らの表示もされていなかったため、動作中にユーザーがカバー４００を取り外してしまう場合があった。カバー４００を取り外すと、カバー４００はメモリーカード３００に装着されているため、メモリーカード３００も引き抜くことになり、データが壊れる場合もあり得た。
【０００８】
このような問題を回避するために、仮に、カバー４００の平面部４００ａに「メモリーカード使用中」と表示したとすると、メモリーカード３００の未装着時には、カバー４００は収納部５００に収納されているにもかかわらず、ユーザーに「メモリーカード使用中」という表示がされることになり、正確な情報が表示されていないため、ユーザーが混乱をすることになる。
【０００９】
本発明は、従来のカバーの課題を考慮し、正確な情報を表示することが可能なカバー及び電子機器を提供することを目的とする。
【課題を解決するための手段】
【００１０】
上記目的を達成するために、第１の本発明は、
電子機器に装着する部材を覆うカバーであって、
前記カバーは、
前記部材の装着状態に関する情報を表示する表示部と、
前記部材の前記電子機器への装着時に、前記部材を覆うように配置した状態と、前記部材の前記電子機器への未装着時に、前記電子機器に収納された状態とで、前記電子機器側に設けられた補助部材と協働して前記表示部の表示を切り替える切り替え手段とを備えた、カバーである。
【００１１】
又、第２の本発明は、
前記表示部は、
外側に設けられた第１表示部と、
前記第１表示部の内側に設けられた第２表示部とを有し、
前記部材を覆うように配置した状態、及び前記電子機器に収納された状態のいずれか一方の状態では、前記第１表示部による表示が行われ、
他方の状態では、前記補助部材によって前記第１表示部が移動され、前記第２表示部が視認可能となる、第１の本発明のカバーである。
【００１２】
又、第３の本発明は、
前記切り替え手段は、
前記第１表示部の周縁に設けられた軸と、
前記軸を回転可能に支持する軸受け部と、
前記第２表示部に形成された貫通孔とを有し、
前記補助部材は棒状部材であり、
前記他方の状態では、前記貫通孔を通った前記棒状部材の、前記第１表示部の表示面の裏面への当接により前記第１表示部が前記軸を中心に回動され、前記第２表示部が視認可能となる、第２の本発明のカバーである。
【００１３】
又、第４の本発明は、
前記部材は、メモリーカードであり、
前記部材を覆うように配置した状態とは、前記電子機器に前記メモリーカードを装着した時に前記電子機器の外壁から突出した、前記メモリーカードの部分と嵌合した状態である、第１〜３のいずれかの本発明のカバーである。
【００１４】
又、第５の本発明は、
第１〜４のいずれかの本発明のカバーと、
前記カバーを収納する収納部と、
前記補助部材とを備えた、電子機器である。
【発明の効果】
【００１５】
本発明によれば、正確な情報を表示することが可能なカバー及び電子機器を提供することが出来る。
【発明を実施するための最良の形態】
【００１６】
以下に、本発明にかかる電子機器の一例としての複写機について図面を参照しながら説明すると共に、本発明のカバーの一例についても同時に述べる。
【００１７】
（実施の形態１）
図１は、本発明にかかる実施の形態１の複写機の外観図である。
【００１８】
図１に示すように、本実施の形態の複写機１００は、上部に設けられた原稿の画像データを読み取るための画像読み取りユニット１１０と、画像読み取りユニット１１０の正面側に設けられた操作パネル１２０と、画像読み取りユニット１１０の下方に設けられた装置本体１３０とを備えている。更に、複写機１００の右側面１００ａには、メモリーカードを挿入することが可能な挿入スロット１４０が設けられている。
【００１９】
上記画像読み取りユニット１１０の上面には、原稿を載置する原稿載置ガラス１１１が設けられており、この原稿載置ガラス１１１の下側には、原稿を走査するための光源やキャリッジなどが設けられている。
【００２０】
上記装置本体１３０内には、感光体ドラム、現像器などを有する画像形成部や、定着部等が設けられている。又、装置本体１３０の上面には、排出トレイ１３２が設けられており、装置本体１３０の底部には、画像を形成するための紙を収納する給紙カセット１３５が設けられている。又、装置本体１３０は、右側面１００ａに、開閉可能な手差しトレイ１３１を有している。
【００２１】
この手差しトレイ１３１を開けた内側の空間の壁面に、メモリーカードを保護するためのカバーを収納する収納部１７０が形成されている。
【００２２】
次に、メモリーカードを保護するためのカバーについて説明する。
【００２３】
図２は、本実施の形態２のカバー１の斜視図である。又、図３（ａ）は、カバー１の正面図であり、図３（ｂ）はカバー１の左側面図である。本実施の形態２のカバー１は、実質上直方体形状であって、背面５が開口されている。又、カバー１の正面が第１表示板２であり、第１表示板２は、上部両端に軸２ａを有している。一方、左側面３Ｌ及び右側面３Ｒの上部正面側には、軸受け部３ａが形成されている。この軸受け部３ａに軸２ａが嵌合されている。そのため、第１表示板２は両端の軸２ａを支点にして、上方向に回動して開くことが可能となっている（図３中矢印Ａ参照）。尚、図２、３中の第１表示板２の斜線部分は、後述する表示が記載される領域を示している。
【００２４】
図４は、第１表示板２を上方向に回動させた状態の斜視図である。又、図５は、図３（ａ）のＸＸ´断面図である。図４及び図５に示すように、第１表示板２の内側には第２表示板４が配置されており、第１表示板２を矢印Ａ方向に回動させると、第２表示板４が視認可能となる。又、図４中の第２表示板４の斜線部分は、表示が記載される領域を示している。又、図６（ａ）は、第１表示板２の正面図であり、図６（ｂ）は、第２表示板４の正面図である。図６（ａ）に示すように、第１表示板２の表示面２ｃには、例えば「メモリーカード使用中」といった表示が記載されている。又、第２表示板４の表示面４ｃには、例えば、「メモリーカード不使用」といった表示が記載されている。又、図６（ｂ）及び図５に示すように、第２表示板４の右端上方部分に貫通孔４ａが形成されている。又、第２表示板４は、カバー１の枠体に固定されており、第１表示板２のように可動しない構成となっている。
【００２５】
又、図５に示すように、カバー１の背面５は開口されており、カバー１内の空間は仕切り板６によって上下２つの空間７ａ、７ｂに分けられている。
【００２６】
次に、メモリーカードが挿入スロット１４０に装着されている場合について説明する。
【００２７】
図７は、挿入スロット１４０に、メモリーカード１８０が差し込まれている状態を示す図である。図に示すように、メモリーカード１８０の後端１８０ａが側面から飛び出している。この状態から矢印Ｂに示すように、カバー１がメモリーカード１８０の後端１８０ａに差し込まれる。この際、カバー１は、右側面３Ｒが下方に、左側面３Ｌが上方に向くように配置されている。図８は、カバー１をメモリーカード１８０に差し込んだ状態の平断面図である。図８に示すように、カバー１は、その空間７ｂにメモリーカード１８０の後端１８０ａが差し込まれてることによって、メモリーカード１８０を覆うことが出来、メモリーカード１８０を保護することが出来る。
【００２８】
次に、メモリーカード１８０が挿入スロット１４０に装着されていない場合について説明する。
【００２９】
図９は、カバー１を収納する収納部１７０の拡大図である。図９において、収納部１７０の右端上部には、棒状部材１７１が内側から外側に向かって設けられている。尚、棒状部材１７１の先端位置は、収納部１７０が形成されている壁面と一致している。メモリーカード１８０が挿入スロット１４０に挿入されていない場合には、カバー１は、収納部１７０に収納される。この際、矢印Ｃ方向にカバー１を挿入すると、図１０（ａ）の断面図に示すように、棒状部材１７１が貫通孔４ａを通って、第１表示板２の裏面２ｂに当接する。更に、矢印Ｃ方向に挿入すると、棒状部材１７１によって第１表示板２が矢印Ａ方向に回動する。図１１は、この状態の正面図である。図１１に示すように、第１表示板２が上方に回動して開くことによって、第２表示板４の「メモリーカード不使用」という記載がユーザーに視認される。
【００３０】
以上のように、本実施の形態１では、メモリーカードが複写機に装着されていないときには、「メモリーカード不使用」という表示がされ、メモリーカードが複写機に装着されているときには、「メモリーカード使用中」という表示がされるため、正しい情報をユーザーに伝えることが可能となる。
【００３１】
尚、本発明の第１表示部の一例は、本実施の形態の第１表示板２に相当し、本発明の第２表示部の一例は、本実施の形態の第２表示板４に相当する。又、本発明の切り替え手段の一例は、本実施の形態の軸２ａ、軸受け部３ａ、貫通孔４ａに相当する。
【００３２】
又、本実施の形態では、収納部１７０は手差しトレイ１３１を開けたときの内側の空間の壁面に設けられているが、この場所に限らず、例えば複写機１００の外壁に設けられていても良い。又、挿入スロット１４０も右側面に限らず、複写機１００の外壁のいずれの位置に設けられていても良い。
【００３３】
又、上記実施の形態では、挿入スロット１４０は上下方向に配置されているが、水平に配置されていてもよい。この場合、第１表示板２に表示する文字は横書きにする必要がある。
【００３４】
又、上記実施の形態では、メモリーカード１８０の後端１８０ａをカバー１の空間７ｂに差し込むことにより、メモリーカード１８０とカバー１が嵌合しているが、カバー１とメモリーカード１８０とが嵌合せず、カバー１と挿入スロット１４０近傍の右側面１００ａとが嵌合することで、カバー１が取り付けられる構成であってもよい。
【００３５】
又、上記実施の形態では、挿入スロット１４０にメモリーカード１８０を差し込んだ時、メモリーカード１８０の後端１８０ａが右側面１００ａから突出しているが、突出していなくてもよく、この場合であってもカバーを設けることによって静電気防止等の効果が発揮できる。但し、後端１８０ａが突出していないため、カバーはメモリーカードと嵌合できないので、右側面と嵌合する構成となっている。
【００３６】
又、上記実施の形態では、棒状部材が収納部１７０に設けられているが、挿入スロット１４０側に棒状部材が設けられ、収納部１７０に設けられていない構成であってもよい。この場合、カバー１を収納部１７０に挿入した時に、第１表示板２による表示が行われ、カバー１がメモリーカード１８０に取り付けられた時に、第２表示板４による表示が行われる。
【００３７】
尚、カバー１をメモリーカード１８０に取り付けた場合、カバー１は図７に示すように縦向きに配置されることなる。そのため、個体間の寸法誤差等によって、第１表示板２が自重により開くことを確実に防止するために、軸２ａに、図１２（ａ）に示すコイルバネ１０を取り付けても良い。図１２（ａ）は、コイルバネ１０の斜視図、（ｂ）は平面図である。コイルバネ１０は、コイル部１０ａと、同一方向に伸びた２つの端部１０ｂ、１０ｃとを有している。図１２（ｃ）は、コイルバネ１０を軸２ａに取り付けた状態の拡大図である。図１２（ｃ）に示す部分は、図７のＰ部に相当する。又、図１２（ｃ）では、説明のために第１表示板２と左側面３Ｌの間隔を広く記載している。図１２（ｃ）に示すようにコイル部１０ａ内に軸２ａが挿入されており、端部１０ｂが左側面３Ｌに固定され、端部１０ｃが第１表示板２に固定されている。このような構成により、仮に、図１２（ｄ）に示すように、第１表示板２が開かれた場合でも、コイルバネ１０の付勢力により、第１表示板２は閉まる（矢印Ｄ参照）。従って、第１表示板２が自重により回動することを確実に防止することができる。
【００３８】
又、本実施の形態では、収納部１７０にカバー１を収納した時、第１表示板２が上側を支点として上方に回動しているが、下側を支点として下方に回動する構成であってもよい。すなわち、本実施の形態１のカバー１を上下逆のカバー１´として使用しても良い。但し、収納部１７０から引き抜いた時に第１表示板２が閉まるように、軸２ａに上記コイルバネ１０を取り付けた方が好ましい。又、図１３に示すように、第２表示板４の表示内容も上下逆となる。
【００３９】
又、図１に示す収納部１７０は低い位置にあるため、図１３に示す第１表示板２の裏面２ｂに、紙面手前側を下にして「メモリーカード不使用」という記載をしてもよい。
【００４０】
又、第１表示板２及び第２表示板４に記載する内容としては、図６（ａ）（ｂ）に記載されている内容に限られない。
【００４１】
又、第１表示部２は、図４では、その上辺側を支点として回動しており、図１３では、下辺を支点として回動しているが、左辺、又は右辺を支点として回動しても良い。
【００４２】
又、上記実施の形態では、部材の一例として、メモリーカードを用いて説明したが、これに限らず、回路基板等であってもよい。又、メモリーカードとしては、例えば、コンパクトフラッシュ（登録商標）やＳＤメモリーカード等を適宜用いることが出来る。
【００４３】
又、上記実施の形態では、本発明の電子機器の一例として複写機を用いて説明したが、これに限らず、プリンタ、複合機、テレビ、ビデオカメラ等であってもよい。
【産業上の利用可能性】
【００４４】
本発明のカバーは、正確な情報を表示することが出来、電子機器に装着される記録媒体等のカバーとして有用である。
【図面の簡単な説明】
【００４５】
【図１】本発明にかかる実施の形態１における複写機の外観図
【図２】本発明にかかる実施の形態１におけるカバー１の斜視図
【図３】（ａ）本発明にかかる実施の形態１におけるカバー１の正面図、（ｂ）本発明にかかる実施の形態１におけるカバー１の左側面図
【図４】本発明にかかるカバー１の第１表示板２を回動させた状態の斜視図
【図５】図３（ａ）のＸＸ´間の断面図
【図６】（ａ）本発明にかかる実施の形態１における第１表示板２の正面図、（ｂ）本発明にかかる実施の形態１における第２表示板４の正面図
【図７】本発明にかかる実施の形態１におけるカバー１をメモリーカード１８０に取り付ける状態を示す図
【図８】本発明にかかる実施の形態１におけるカバー１をメモリーカード１８０に取り付けた状態を説明する上方からみた断面図
【図９】本発明にかかる実施の形態１におけるカバー１の収納部１７０への収納を説明するための図
【図１０】（ａ）（ｂ）本発明にかかる実施の形態１におけるカバー１の収納部１７０への収納を説明するための図
【図１１】本発明にかかる実施の形態１におけるカバー１を収納部１７０へ収納した状態の正面図
【図１２】（ａ）コイルバネ１０の斜視図、（ｂ）コイルバネ１０の平面図、（ｃ）コイルバネ１０を軸２ａに取り付けた状態の拡大図、（ｄ）コイルバネ１０を軸２ａに取り付けた状態において第１表示板２を回動させた状態の拡大図
【図１３】本発明にかかる実施の形態１におけるカバーの変形例であるカバー１´を示す斜視図
【図１４】（ａ）従来のカバー４００をメモリーカード１８０に取り付ける状態を説明するための図、（ｂ）従来のカバー４００をメモリーカード１８０に取り付けた状態を説明するための図
【図１５】従来のカバー４００を収納部５００に恣意の宇する状態を説明するための図
【符号の説明】
【００４６】
１  カバー
２  第１表示板
２ａ  軸
２ｂ  裏面
２ｃ  表示面
３Ｌ  左側面
３Ｒ  右側面
３ａ  軸受け部
４  第２表示板
４ａ  貫通孔
４ｃ  表示面
５  背面
６  筐体
７ａ、７ｂ  空間
１００  複写機
１１０  画像読み取りユニット
１２０  操作パネル
１３０  装置本体
１３５  給紙カセット
１４０  挿入スロット
１７０  収納部
１７１  棒状部材
【図１】
2009139595.tif 000003
【図２】
2009139595.tif 000004
【図３】
2009139595.tif 000005
【図４】
2009139595.tif 000006
【図５】
2009139595.tif 000007
【図６】
2009139595.tif 000008
【図７】
2009139595.tif 000009
【図８】
2009139595.tif 000010
【図９】
2009139595.tif 000011
【図１０】
2009139595.tif 000012
【図１１】
2009139595.tif 000013
【図１２】
2009139595.tif 000014
【図１３】
2009139595.tif 000015
【図１４】
2009139595.tif 000016
【図１５】
2009139595.tif 000017